(57)【要約】【課題】穀粒タンクに貯留された穀粒の重量を精度よく測定できるコンバインを提供する。【解決手段】穀粒タンクに貯留された穀粒の重量測定を行うロードセル３９と、重量測定信号を出力する測定スイッチ６６と、走行装置、刈取部、及び脱穀装置の状態から、作業状態であるか非作業状態であるかの作業状態判定を行う作業状態判定部７１と、重量測定信号に基づいてロードセル３９に重量測定を指令する重量測定決定部７５と、が備えられ、測定スイッチ６６から重量測定信号が出力されると、重量測定決定部７５は、作業状態判定部７１に作業状態判定を指令し、作業状態であることが判定されると、ロードセル３９に重量測定を指令しない。【選択図】図３
2014187945.tif 000002
【特許請求の範囲】
【請求項１】
走行機体を支持する走行装置と、
植立穀稈を刈取る刈取部と、
刈取穀稈を脱穀処理する脱穀装置と、
前記脱穀装置によって脱穀された穀粒を貯留する穀粒タンクと、
前記穀粒タンクに貯留された穀粒の重量測定を行う重量測定部と、
重量測定信号を出力する測定指示部と、
前記走行装置、前記刈取部、及び前記脱穀装置の状態から、作業状態であるか非作業状態であるかの作業状態判定を行う作業状態判定部と、
前記重量測定信号に基づいて前記重量測定部に前記重量測定を指令する制御部と、が備えられ、
前記測定指示部から前記重量測定信号が出力されると、前記制御部は、前記作業状態判定部に前記作業状態判定を指令し、前記作業状態であることが判定されると、前記重量測定部に前記重量測定を指令しないコンバイン。
【請求項２】
前記走行機体の傾きを検出する姿勢検出部と、
前記走行機体の傾きが所定の傾斜許容範囲内にあるか否かの姿勢判定を行う姿勢検出部と、が備えられ、
前記作業状態判定部によって前記非作業状態であることが判定されると、前記制御部は、前記姿勢検出部に前記姿勢判定を指令し、前記走行機体の傾きが所定の傾斜許容範囲内にあることが判定された場合、前記重量測定部に前記重量測定を指令し、前記走行機体の傾きが前記傾斜許容範囲内にないことが判定された場合、前記重量測定部に前記重量測定を指令しない請求項１に記載のコンバイン。
【請求項３】
前記走行機体の左右傾斜姿勢を変更する左右姿勢変更部が備えられ、
前記姿勢検出部として、前記走行機体の左右傾斜角度を検出する左右傾斜角度検出部が備えられ、
前記姿勢検出部によって前記左右の傾きが所定の左右傾斜許容範囲内にないことが判定された場合、前記制御部は、前記重量測定部に前記重量測定を指令せずに、前記左右傾斜角度が前記左右傾斜許容範囲内になるように前記左右姿勢変更部を制御し、前記左右傾斜角度が前記左右傾斜許容範囲内になった後に、前記重量測定部に前記重量測定を指令する請求項２に記載のコンバイン。
【請求項４】
前記走行機体の前後傾斜姿勢を変更する前後姿勢変更部が備えられ、
前記姿勢検出部として、前記走行機体の前後傾斜角度を検出する前後傾斜角度検出部が備えられ、
前記姿勢検出部によって前記前後傾斜角度が所定の前後傾斜許容範囲内にないことが判定された場合、前記制御部は、前記重量測定部に前記重量測定を指令しないと共に、前記前後傾斜角度が前記前後傾斜許容範囲内になるように前記前後姿勢変更部を制御し、前記前後傾斜角度が前記前後傾斜許容範囲内になった後に、前記重量測定部に前記重量測定を指令する請求項２または３に記載のコンバイン。
【請求項５】
前記走行装置の走行速度を検出する車速センサが備えられ、
前記作業状態判定部は、少なくとも前記走行速度がゼロであることを条件に、前記非作業状態であると判定する請求項１から４の何れか一項に記載のコンバイン。
【請求項６】
前記脱穀装置へ動力伝達を入り切りする脱穀クラッチが備えられ、
前記作業状態判定部は、少なくとも前記脱穀クラッチが切り状態であることを条件に、前記非作業状態であると判定する請求項１から５の何れか一項に記載のコンバイン。
【請求項７】
前記刈取部に設けられて刈取穀稈の存在を検出する穀稈センサが備えられ、
前記作業状態判定部は、少なくとも前記刈取部に刈取穀稈が存在していないことを条件に、前記非作業状態であると判定する請求項１から６の何れか一項に記載のコンバイン。
【請求項８】
前記刈取部は前記走行機体に上下昇降可能に支持され、
前記刈取部の上下位置を検出する刈取高さセンサが備えられ、
前記作業状態判定部によって前記非作業状態であることが判定されても、前記上下位置が所定の高さよりも低い場合、前記制御部は、前記重量測定部に前記重量測定を指令しない請求項１に記載のコンバイン。
【請求項９】
前記穀粒タンクに接続された縦オーガ、及び、前記縦オーガに接続されて前記穀粒タンクに貯留された穀粒を一端から外部へ排出可能であると共に、上下揺動可能かつ収納位置と作業位置との間で旋回可能な横オーガを有するアンローダと、
前記横オーガを前記収納位置に支持するオーガ受けと、
前記横オーガが前記オーガ受けに収納されている収納状態であるか否かを検出する収納検出部と、が備えられ、
前記作業状態判定部によって前記非作業状態であることが判定されると、前記制御部は、前記収納検出部の検出結果を確認し、前記収納状態が検出されている場合は、前記重量測定部に前記重量測定を指令し、前記収納状態が検出されていない場合は、前記重量測定部に前記重量測定を指令しない請求項１から８の何れか一項に記載のコンバイン。
【請求項１０】
前記横オーガを上下揺動させる上下揺動駆動部と、
前記横オーガを旋回させる旋回駆動部と、が備えられ、
前記収納検出部によって前記収納状態が検出されていない場合、前記制御部は、前記重量測定部に前記重量測定を指令しないと共に、前記収納状態となるように前記上下揺動駆動部及び前記旋回駆動部を制御し、前記収納状態になった後に、前記重量測定部に前記重量測定を指令する請求項９に記載のコンバイン。
【請求項１１】
前記穀粒タンクに接続された縦オーガ、及び、前記縦オーガに接続されて前記穀粒タンクに貯留された穀粒を一端から外部へ排出可能であると共に、上下揺動可能かつ収納位置と作業位置との間で旋回可能な横オーガを有するアンローダと、
前記横オーガを上下揺動させる上下揺動駆動部と、
前記横オーガを前記収納位置に支持するオーガ受けと、が備えられ、
前記作業状態判定部によって前記非作業状態であることが判定されると、前記制御部は、前記上下揺動駆動部を制御して前記横オーガを所定時間下降させた後に、前記重量測定部に前記重量測定を指令する請求項１から８の何れか一項に記載のコンバイン。
【請求項１２】
前記制御部は、前記重量測定部に前記重量測定を指令しない場合は、運転者に、測定に関する情報を報知する請求項１から１１の何れか一項に記載のコンバイン。
【発明の詳細な説明】
【技術分野】
【０００１】
本発明は、走行機体を支持する走行装置と、植立穀稈を刈取る刈取部と、刈取穀稈を脱穀処理する脱穀装置と、脱穀装置によって脱穀された穀粒を貯留する穀粒タンクと、が備えられ、貯留タンクの穀粒の重量を測定できるように構成されたコンバインに関する。
【背景技術】
【０００２】
上記のような従来のコンバインの一例が例えば特許文献１に記載されている。特許文献１に示されたコンバインには、穀粒タンク（特許文献１では「グレンタンク」）に貯留された穀粒の重量測定を行う重量測定部（特許文献１では「ロードセル」）が備えられている。
【先行技術文献】
【特許文献】
【０００３】
【特許文献１】特開平１０−１６４９６７号公報（段落番号［０００９]、［００１０］、［図１］）
【発明の概要】
【発明が解決しようとする課題】
【０００４】
従来のコンバインでは、コンバインが作業状態にあるときでも穀粒タンクに貯留された穀粒の重量測定を行えるようになっている。しかし、測定する際に、作業が行われていると、作業によって穀粒タンクが振動し、重量測定の結果にバラツキが生じるおそれがある。
【０００５】
このような実情に鑑み、穀粒タンクに貯留された穀粒の重量を精度よく測定できるコンバインの提供が望まれていた。
【課題を解決するための手段】
【０００６】
本発明に係るコンバインは、走行機体を支持する走行装置と、
植立穀稈を刈取る刈取部と、
刈取穀稈を脱穀処理する脱穀装置と、
前記脱穀装置によって脱穀された穀粒を貯留する穀粒タンクと、
前記穀粒タンクに貯留された穀粒の重量測定を行う重量測定部と、
重量測定信号を出力する測定指示部と、
前記走行装置、前記刈取部、及び前記脱穀装置の状態から、作業状態であるか非作業状態であるかの作業状態判定を行う作業状態判定部と、
前記重量測定信号に基づいて前記重量測定部に前記重量測定を指令する制御部と、が備えられ、
前記測定指示部から前記重量測定信号が出力されると、前記制御部は、前記作業状態判定部に前記作業状態判定を指令し、前記作業状態であることが判定されると、前記重量測定部に前記重量測定を指令しない。
【０００７】
本発明によると、穀粒タンクに貯留された穀粒の重量測定を行うために、測定支持部から重量測定信号が出力されると、走行装置、刈取部、及び脱穀装置の状態から、作業状態であるか非作業状態であるかの作業状態判定が行われる。そして、作業状態であると判定されると、重量測定部による穀粒タンクに貯留された穀粒の重量測定は行われない。つまり、本発明によれば、穀粒タンクに振動が生じている作業状態のときには、重量測定部による穀粒タンクに貯留された穀粒の重量測定は行われないので、穀粒タンク内の穀粒の重量として正確性に欠く値が測定されてしまう可能性が排除され、結果として、穀粒タンクに貯留された穀粒の重量を精度よく測定できる。
【０００８】
上記構成において、前記走行機体の傾きを検出する姿勢検出部と、
前記走行機体の傾きが所定の傾斜許容範囲内にあるか否かの姿勢判定を行う姿勢検出部と、が備えられ、
前記作業状態判定部によって前記非作業状態であることが判定されると、前記制御部は、前記姿勢検出部に前記姿勢判定を指令し、前記走行機体の傾きが所定の傾斜許容範囲内にあることが判定された場合、前記重量測定部に前記重量測定を指令し、前記走行機体の傾きが前記傾斜許容範囲内にないことが判定された場合、前記重量測定部に前記重量測定を指令しないと好適である。
【０００９】
走行機体が傾くことにより穀粒タンクも傾くので、走行機体が傾いた状態で測定される重量は正確でないおそれがある。しかし、本構成によれば、非作業状態であると判定された後に、さらに、走行機体の傾きが所定の傾斜許容範囲内にあると判定されてから重量測定部による穀粒タンク内の穀粒の重量の測定が行われる。そして、走行機体の傾きが傾斜許容範囲内にないと判定されると重量測定部による穀粒タンク内の穀粒の重量の測定が行われない。したがって、穀粒タンク内の穀粒の重量として正確性に欠く値が測定されてしまう可能性が排除され、結果として、穀粒タンクに貯留された穀粒の重量を精度よく測定できる。
【００１０】
上記構成において、前記走行機体の左右傾斜姿勢を変更する左右姿勢変更部が備えられ、
前記姿勢検出部として、前記走行機体の左右傾斜角度を検出する左右傾斜角度検出部が備えられ、
前記姿勢検出部によって前記左右の傾きが所定の左右傾斜許容範囲内にないことが判定された場合、前記制御部は、前記重量測定部に前記重量測定を指令せずに、前記左右傾斜角度が前記左右傾斜許容範囲内になるように前記左右姿勢変更部を制御し、前記左右傾斜角度が前記左右傾斜許容範囲内になった後に、前記重量測定部に前記重量測定を指令すると好適である。
【００１１】
本構成によれば、走行機体の左右傾斜角度を検出する左右傾斜角度検出部が備えられており、左右の傾きが所定の左右傾斜許容範囲内にないと判定されると、まず、左右傾斜角度が左右傾斜許容範囲内になるように左右姿勢変更部が制御される。そして、左右傾斜角度が左右傾斜許容範囲内になってから、重量測定部による穀粒タンク内の穀粒の重量の測定が行われる。このように、本構成であれば、走行機体の左右傾斜角度が大きなときは、自動的に左右傾斜角度の調整が行われるので、重量測定部による正確な重量測定をスムーズに実行できる。
【００１２】
上記構成において、前記走行機体の前後傾斜姿勢を変更する前後姿勢変更部が備えられ、
前記姿勢検出部として、前記走行機体の前後傾斜角度を検出する前後傾斜角度検出部が備えられ、
前記姿勢検出部によって前記前後傾斜角度が所定の前後傾斜許容範囲内にないことが判定された場合、前記制御部は、前記重量測定部に前記重量測定を指令しないと共に、前記前後傾斜角度が前記前後傾斜許容範囲内になるように前記前後姿勢変更部を制御し、前記前後傾斜角度が前記前後傾斜許容範囲内になった後に、前記重量測定部に前記重量測定を指令すると好適である。
【００１３】
本構成によれば、走行機体の前後傾斜角度を検出する前後傾斜角度検出部が備えられており、前後の傾きが所定の前後傾斜許容範囲内にないと判定されると、まず、前後傾斜角度が前後傾斜許容範囲内になるように前後姿勢変更部が制御される。そして、前後傾斜角度が前後傾斜許容範囲内になってから、重量測定部による穀粒タンク内の穀粒の重量の測定が行われる。このように、本構成であれば、走行機体の前後傾斜角度が大きなときは、自動的に前後傾斜角度の調整が行われるので、重量測定部による正確な重量測定をスムーズに実行できる。
【００１４】
上記構成において、前記走行装置の走行速度を検出する車速センサが備えられ、
前記作業状態判定部は、少なくとも前記走行速度がゼロであることを条件に、前記非作業状態であると判定すると好適である。
【００１５】
走行装置の走行速度がゼロ以外のとき、すなわち走行中は、穀粒タンクの振動が大きくなるため重量測定の誤差が大きくなるおそれがある。しかし、本構成によれば、車速センサにより検出される走行装置の走行速度がゼロ以外のときは、非作業状態とは判定されず、重量測定部による穀粒タンク内の穀粒の重量の測定が行われない。したがって、穀粒タンク内の穀粒の重量として正確性に欠く値が測定されてしまう可能性が排除され、結果として、穀粒タンクに貯留された穀粒の重量を精度よく測定できる。
【００１６】
上記構成において、前記脱穀装置へ動力伝達を入り切りする脱穀クラッチが備えられ、
前記作業状態判定部は、少なくとも前記脱穀クラッチが切り状態であることを条件に、前記非作業状態であると判定すると好適である。
【００１７】
脱穀クラッチが入り状態のときは脱穀装置の作動により穀粒タンクへ振動が伝達される状態となるため重量測定の誤差が大きくなるおそれがある。しかし、本構成によれば、脱穀装置へ動力伝達を入り切りする脱穀クラッチが切り状態でないとき、すなわち脱穀クラッチが入り状態のときには、非作業状態とは判定されず、重量測定部による穀粒タンク内の穀粒の重量の測定が行われない。したがって、穀粒タンク内の穀粒の重量として正確性に欠く値が測定されてしまう可能性が排除され、結果として、穀粒タンクに貯留された穀粒の重量を精度よく測定できる。
【００１８】
上記構成において、前記刈取部に設けられて刈取穀稈の存在を検出する穀稈センサが備えられ、
前記作業状態判定部は、少なくとも前記刈取部に刈取穀稈が存在していないことを条件に、前記非作業状態であると判定すると好適である。
【００１９】
刈取部に穀稈が存在しており穀稈センサによって刈取穀稈が検出されている状態のとき、つまり、刈取部が作動しているときは、作動する刈取部から穀粒タンクへ振動が伝達され、重量測定の誤差が大きくなるおそれがある。しかし、本構成によれば、少なくとも刈取部に刈取穀稈が存在していないことを非作業状態であると判定する条件としているので、穀粒タンク内の穀粒の重量として正確性に欠く値が測定されてしまう可能性が排除され、結果として、穀粒タンクに貯留された穀粒の重量を精度よく測定できる。
【００２０】
上記構成において、前記刈取部は前記走行機体に上下昇降可能に支持され、
前記刈取部の上下位置を検出する刈取高さセンサが備えられ、
前記作業状態判定部によって前記非作業状態であることが判定されても、前記上下位置が所定の高さよりも低い場合、前記制御部は、前記重量測定部に前記重量測定を指令しないと好適である。
【００２１】
本構成によれば、非作業状態であって、刈取部の上下位置が、所定の高さよりも高い場合に、重量測定部による穀粒タンクに貯留された穀粒の重量測定が行われる。これにより、例えば、重量測定が行われる前に走行機体を水平化する制御が行われて走行機体が下降するような場合に、刈取部の先端等が不測に圃場に接触してしまうというような不都合を回避できる。
【００２２】
上記構成において、前記穀粒タンクに接続された縦オーガ、及び、前記縦オーガに接続されて前記穀粒タンクに貯留された穀粒を一端から外部へ排出可能であると共に、上下揺動可能かつ収納位置と作業位置との間で旋回可能な横オーガを有するアンローダと、
前記横オーガを前記収納位置に支持するオーガ受けと、
前記横オーガが前記オーガ受けに収納されている収納状態であるか否かを検出する収納検出部と、が備えられ、
前記作業状態判定部によって前記非作業状態であることが判定されると、前記制御部は、前記収納検出部の検出結果を確認し、前記収納状態が検出されている場合は、前記重量測定部に前記重量測定を指令し、前記収納状態が検出されていない場合は、前記重量測定部に前記重量測定を指令しないと好適である。
【００２３】
アンローダの横オーガは縦オーガに片持ち支持されているものであり、横オーガがオーガ受けに適正に収納されている状態と、横オーガがオーガ受けに適正に収納されていない状態とでは、穀粒タンクにおける重心位置が変化して、重量測定の結果が異なるおそれがある。本構成によれば、非作業状態であると判定されてから、横オーガがオーガ受けに適正に収納されていると判定されると、重量測定部による穀粒タンク内の穀粒の重量測定は行われる。しかし、非作業状態であると判定されたとしても、横オーガがオーガ受けに適正に収納されていないと判定されると、重量測定部による穀粒タンク内の穀粒の重量測定は行われない。このように、横オーガがオーガ受けに適正に収納された安定状態のときに、重量測定部による穀粒タンク内の穀粒の重量測定を行うので、正確性の高い重量の値を得ることができる。
【００２４】
上記構成において、前記横オーガを上下揺動させる上下揺動駆動部と、
前記横オーガを旋回させる旋回駆動部と、が備えられ、
前記収納検出部によって前記収納状態が検出されていない場合、前記制御部は、前記重量測定部に前記重量測定を指令しないと共に、前記収納状態となるように前記上下揺動駆動部及び前記旋回駆動部を制御し、前記収納状態になった後に、前記重量測定部に前記重量測定を指令すると好適である。
【００２５】
本構成によれば、横オーガが収納位置のオーガ受けに適正に収納されていない場合、横オーガがオーガ受けに適正に収納されてから重量測定部による穀粒タンク内の穀粒の重量の測定が行われる。このように、本構成であれば、自動的に横オーガが正しくオーガ受けに収納されて重量測定が行われるので、重量測定部による正確な重量測定をスムーズに実行できる。
【００２６】
上記構成において、前記穀粒タンクに接続された縦オーガ、及び、前記縦オーガに接続されて前記穀粒タンクに貯留された穀粒を一端から外部へ排出可能であると共に、上下揺動可能かつ収納位置と作業位置との間で旋回可能な横オーガを有するアンローダと、
前記横オーガを上下揺動させる上下揺動駆動部と、
前記横オーガを前記収納位置に支持するオーガ受けと、が備えられ、
前記作業状態判定部によって前記非作業状態であることが判定されると、前記制御部は、前記上下揺動駆動部を制御して前記横オーガを所定時間下降させた後に、前記重量測定部に前記重量測定を指令すると好適である。
【００２７】
アンローダの横オーガは、旋回位置がずれるよりも、走行時の振動等によって上下位置がずれることの方が多い傾向にある。本構成によれば、横オーガが収納位置のオーガ受けに適正に収納されていない場合、横オーガを所定時間下降させてから重量測定部による穀粒タンク内の穀粒の重量の測定が行われる。このような場合には、横オーガを所定時間下降させれば、横オーガはオーガ受けに適正に収納される。このように、本構成であれば、自動的に横オーガが正しくオーガ受けに収納されて重量測定が行われるので、重量測定部による正確な重量測定をスムーズに実行できる。
【００２８】
上記構成において、前記制御部は、前記重量測定部に前記重量測定を指令しない場合は、運転者に、測定に関する情報を報知すると好適である。
【００２９】
本構成によれば、重量測定部に重量測定を指令しない場合には、測定に関する情報、例えば、重量測定を行うことができない旨の情報を運転者に報知できる。これにより、運転者は、重量測定ができないことを速やかに確認でき、種々の対応をとり得る。
【図面の簡単な説明】
【００３０】
【図１】コンバインの全体側面図である。
【図２】コンバインの全体平面図である。
【図３】制御構成を示すブロック図である。
【図４】制御の概略を示すフローチャートである。
【図５】リモコンの説明図である。
【図６】ディスプレイへの表示例を示す説明図である。
【図７】別実施形態におけるフローチャートである。
【発明を実施するための形態】
【００３１】
以下、本発明の実施形態を図面に基づいて説明する。
［コンバインの概略構成］
コンバイン１０は、クローラ走行式の自脱型コンバインであり、図１〜図３に示すように、コンバイン１０には、走行機体１１と、走行機体１１を支持する左右一対のクローラ走行装置１２と、植立穀稈を刈取る刈取部１３と、刈取穀稈を脱穀処理する脱穀装置１４と、脱穀装置１４によって脱穀された穀粒を貯留する穀粒タンク１５と、穀粒タンク１５内の穀粒を外部に排出するアンローダ１６と、運転者が搭乗する運転操縦部１７と、が備えられている。
【００３２】
走行機体１１には、走行機体１１の傾きを検出する姿勢検出部として、図３に示すように、左右傾斜センサ１９（「左右傾斜角度検出部」に相当）と、前後傾斜センサ２０（「前後傾斜角度検出部」に相当）と、が備えられている。左右傾斜センサ１９は、走行機体１１の左右傾斜角度を検出するように構成されている。前後傾斜センサ２０は、走行機体１１の前後傾斜角度を検出するように構成されている。
【００３３】
図１、図２に示すように、右側のクローラ走行装置１２には、走行機体１１に対して昇降自在なトラックフレーム２１が備えられている。トラックフレーム２１の前部側には、前リンク機構２２の一端が横軸芯周りに回動自在に連結されている。前リンク機構２２の他端には、第１油圧シリンダ２３の一端が横軸心周りに回動自在に連結されている。第１油圧シリンダ２３の他端は、走行機体１１の一部に連結されている。第１油圧シリンダ２３を伸長させると、走行機体１１の右前部側が下降し、第１油圧シリンダ２３を縮退させると、走行機体１１の右前部側が上昇するように構成されている。トラックフレーム２１の後部側には、後リンク機構２５の一端が横軸芯回りに回動自在に連結されている。後リンク機構２５の他端には、第２油圧シリンダ２７の一端が横軸心周りに回動自在に連結されている。第２油圧シリンダ２７の他端は、第１油圧シリンダ２３が連結された部位とは異なる走行機体１１の一部に連結されている。第２油圧シリンダ２７を伸長させると、走行機体１１の右後部側が上昇し、第２油圧シリンダ２７を縮退させると、走行機体１１の右後部側が下降するように構成されている。
【００３４】
詳しく図示はしないが左側のクローラ走行装置１２についても、右側のクローラ走行装置１２と左右対称の構造になっている。ただし、左側のクローラ走行装置１２には、第３油圧シリンダ２９と、第４油圧シリンダ３１と、が備えられている。第３油圧シリンダ２９を伸長させると、走行機体１１の左前部側が下降し、第３油圧シリンダ２９を縮退させると、走行機体１１の左前部側が上昇するように構成されている。第４油圧シリンダ３１を伸長させると、走行機体１１の左後部側が上昇し、第４油圧シリンダ３１を縮退させると、走行機体１１の左後部側が下降するように構成されている。
【００３５】
第１油圧シリンダ２３、第２油圧シリンダ２７、第３油圧シリンダ２９、第４油圧シリンダ３１によって、走行機体１１の前後傾斜姿勢を変更する「前後姿勢変更部」が構成されている。また、第１油圧シリンダ２３、第２油圧シリンダ２７、第３油圧シリンダ２９、第４油圧シリンダ３１によって、走行機体１１の左右傾斜姿勢を変更する「左右姿勢変更部」が構成されている。
【００３６】
また、コンバイン１０には、走行速度を検出する車速センサ３３が備えられている（図３参照）。
【００３７】
図１、図２に示すように、刈取部１３は、走行機体１１に支持され、昇降シリンダ３４によって走行機体１１の横軸Ｐ周りに上下昇降可能とされている。刈取部１３には、株元センサ３５（「穀稈センサ」に相当）が設けられている（図３参照）。株元センサ３５は、刈取部１３に取り込まれた刈取穀稈の株元を検出して、刈取部１３における刈取穀稈の存在を検出するように構成されている。また、刈取部１３には、刈取部１３の上下位置を検出するように構成されている刈取高さセンサ３６が備えられている（図３参照）。
【００３８】
図１、図２に示すように、脱穀装置１４は、刈取部１３の後方に配置されており、脱穀クラッチ３７（図３参照）により動力伝達の入り切りが行われる。つまり、脱穀クラッチ３７が入り状態にされると脱穀装置１４が作動され、脱穀クラッチ３７が切り状態にされると脱穀装置１４は停止される。
【００３９】
図１、図２に示すように、穀粒タンク１５は、脱穀装置１４の横側に備えられており、脱穀装置１４から流入される脱穀された穀粒が貯留される。穀粒タンク１５の底部には、穀粒タンク１５内に貯留された穀粒をアンローダ１６へ送って外部へ排出するための排出オーガ３８が備えられている。排出オーガ３８は、不図示の排出クラッチを入り状態にすると作動して穀粒タンク１５内に貯留された穀粒をアンローダ１６へ送って外部へ排出し、不図示の排出クラッチを切り状態にすると停止される。穀粒タンク１５の近傍には、ロードセル３９（「重量測定部」に相当）が備えられている。ロードセル３９は、穀粒タンク１５の下方に配置されており、穀粒タンク１５に貯留された穀粒の重量測定を行うことが可能に構成されている。
【００４０】
図１、図２に示すように、アンローダ１６には、縦オーガ４０と、横オーガ４１と、が備えられている。縦オーガ４０は、穀粒タンク１５に接続されている。横オーガ４１は、縦オーガ４０に接続されて縦オーガ４０に片持ち支持されており、穀粒タンク１５に貯留された穀粒を一端から外部へ排出可能に構成されている。そして、横オーガ４１は、上下揺動可能かつ収納位置と作業位置との間で旋回可能に構成されている。横オーガ４１を収納する収納位置には、横オーガ４１を受け止め支持するオーガ受け４２が備えられている。アンローダ１６には、図３に示すように、第１ポテンショメータ４３と、第２ポテンショメータ４４と、が備えられている。第１ポテンショメータ４３は、横オーガ４１の上下揺動角度を検出するように構成されている。第２ポテンショメータ４４は、横オーガ４１の旋回角度を検出するように構成されている。
【００４１】
図１、図２に示すように、横オーガ４１を旋回させるモータ４６（「旋回駆動部」に相当）と、横オーガ４１を上下揺動させる揺動シリンダ４７（「上下揺動駆動部」に相当）が備えられている。
【００４２】
図１、図２に示すように、運転操縦部１７には、運転者が着座する運転座席４８と、アンローダ１６の操作等に用いられるリモコン４９と、各種情報を表示可能なディスプレイ５０と、音声を出力可能なスピーカ５１等が備えられている。
【００４３】
［リモコン］
図５に示すように、リモコン４９には、自動左旋回スイッチ５５、自動右旋回スイッチ５６、自動後旋回スイッチ５７、自動収納スイッチ５８、排出スイッチ５９、停止スイッチ６０、上昇スイッチ６２、下降スイッチ６３、手動左旋回スイッチ６４、手動右旋回スイッチ６５、測定スイッチ６６（「測定指示部」に相当）が備えられている。
【００４４】
自動左旋回スイッチ５５が押操作されると、横オーガ４１が所定の左側排出位置まで自動で左旋回される。自動右旋回スイッチ５６が押操作されると、横オーガ４１が所定の右側排出位置まで自動で右旋回される。自動後旋回スイッチ５７が押操作されると、横オーガ４１が所定の後側排出位置まで自動で旋回される。自動収納スイッチ５８が押操作されると、横オーガ４１が自動的に旋回、上下揺動され、オーガ受け４２に収納される。排出スイッチ５９が押操作されると、排出クラッチが入り状態となり、排出オーガ３８が作動されて穀粒タンク１５からアンローダ１６を介して穀粒が外部へ排出される。停止スイッチ６０が押操作されると、排出オーガ３８が停止されて、穀粒タンク１５からの穀粒の排出が停止される。
【００４５】
上昇スイッチ６２が押操作されている間、横オーガ４１は上昇する。下降スイッチ６３が押操作されている間、横オーガ４１は下降する。手動左旋回スイッチ６４が押操作されている間、横オーガ４１は左旋回する。手動右旋回スイッチ６５が押操作されている間、横オーガ４１は右旋回する。
【００４６】
測定スイッチ６６は、押操作されると、ロードセル３９による穀粒タンク１５内の穀粒の重量の測定を指示する『重量測定信号』を出力する。アンローダ１６の姿勢変更や排出オーガ３８の入り切りを指示するリモコン４９上に、重量測定を指示する測定スイッチ６６が備えられているので、同じ穀粒タンク１５に関係する機器に対して指示を行うスイッチを集約配置でき、操作性が向上される。
【００４７】
［ＥＣＵ］
コンバイン１０には、図３に示すように、重量測定の制御等を行うＥＣＵ１８が備えられている。ＥＣＵ１８には、作業状態判定部７１と、姿勢判定部７２と、収納検出部７３と、刈取高さ検出部７４と、重量測定決定部７５（「制御部」に相当）と、重量取得部７６と、演算記憶部７７と、報知指令部７８と、が備えられている。
【００４８】
作業状態判定部７１は、車速センサ３３、株元センサ３５、脱穀クラッチ３７、重量測定決定部７５、に接続されている。作業状態判定部７１は、重量測定決定部７５から作業状態判定の指令を入力すると、クローラ走行装置１２、刈取部１３、及び脱穀装置１４の状態から、作業状態であるか非作業状態であるかの作業状態判定を行うように構成されている。
【００４９】
作業状態判定部７１は、重量測定決定部７５から作業状態判定の指令を入力すると、車速センサ３３により検出された走行速度がゼロ、脱穀クラッチ３７が切り状態、株元センサ３５が非検出状態、の全ての条件を満たすときに、非作業状態であると判定して、重量測定決定部７５に『非作業信号』を出力する。一方、作業状態判定部７１は、重量測定決定部７５から作業状態判定の指令を入力しても、車速センサ３３による検出された走行速度がゼロ、脱穀クラッチ３７が切り状態、株元センサ３５が非検出状態、のいずれかの条件が満たされていないときは、作業状態であると判定して、重量測定決定部７５に『非作業信号』を出力しない。
【００５０】
姿勢判定部７２は、前後傾斜センサ２０と、左右傾斜センサ１９と、重量測定決定部７５と、に接続されている。姿勢判定部７２は、重量測定決定部７５から姿勢判定の指令を入力すると、左右傾斜センサ１９から入力される左右傾斜角度および前後傾斜センサ２０から入力される前後傾斜角度に基づいて、走行機体１１の傾きが所定の傾斜許容範囲内にあるか否かの姿勢判定を行うように構成されている。
【００５１】
姿勢判定部７２は、重量測定決定部７５から姿勢判定の指令を入力した際に、左右傾斜センサ１９から入力される左右傾斜角度が左右傾斜許容範囲内にあり、かつ、前後傾斜センサ２０から入力される前後傾斜角度が前後傾斜許容範囲内にある場合は、走行機体１１の姿勢が適正であると判定して、重量測定決定部７５に『姿勢適正信号』を出力する。また、姿勢判定部７２は、重量測定決定部７５に『姿勢適正信号』を出力するときに、走行機体１１の姿勢が適正であると判定した時の左右傾斜センサ１９から入力された左右傾斜角度、前後傾斜センサ２０から入力された前後傾斜角度も併せて重量測定決定部７５に出力する。
【００５２】
一方、姿勢判定部７２は、重量測定決定部７５から姿勢判定の指令を入力した際に、左右傾斜センサ１９から入力される左右傾斜角度が左右傾斜許容範囲内にない場合は、左右傾斜角度が不適切であると判定する。さらに、この場合、姿勢判定部７２は、左右傾斜角度が左右傾斜許容範囲内に調整可能な範囲内にあるか否かを判定する。姿勢判定部７２は、左右傾斜角度が調整可能な範囲内にない場合、重量測定決定部７５に『調整不可信号』を出力する。一方、姿勢判定部７２は、重量測定決定部７５から姿勢判定の指令を入力した際に、左右傾斜角度が調整可能な範囲内にあるときは、第１油圧シリンダ２３、第２油圧シリンダ２７、第３油圧シリンダ２９、第４油圧シリンダ３１を駆動して、走行機体１１の左右傾斜角度を左右傾斜許容範囲内に収める制御をするように重量測定決定部７５に『左右傾斜調整信号』を出力する。
【００５３】
そして、姿勢判定部７２は、重量測定決定部７５から姿勢判定の指令を入力した際に、前後傾斜センサ２０から入力される前後傾斜角度が前後傾斜許容範囲内にない場合は、前後傾斜角度が不適切であると判定する。さらに、この場合、姿勢判定部７２は、前後傾斜角度が前後傾斜許容範囲内に調整可能な範囲内にあるか否かを判定する。姿勢判定部７２は、前後傾斜角度が調整可能な範囲内にない場合、重量測定決定部７５に『調整不可信号』を出力する。一方、姿勢判定部７２は、重量測定決定部７５から姿勢判定の指令を入力した際に、前後傾斜角度が調整可能な範囲内にあるときは、第１油圧シリンダ２３、第２油圧シリンダ２７、第３油圧シリンダ２９、第４油圧シリンダ３１を駆動して、走行機体１１の前後傾斜角度が前後傾斜許容範囲内収める制御をするように重量測定決定部７５に『前後傾斜調整信号』を出力する。
【００５４】
収納検出部７３は、第１ポテンショメータ４３と、第２ポテンショメータ４４とに接続されている。収納検出部７３は、重量測定決定部７５から収納判定の指令を入力すると、第１ポテンショメータ４３から入力される揺動角度と、第２ポテンショメータ４４から入力される旋回角度と、に基づいて、横オーガ４１がオーガ受け４２に適正に収納されたか否かを判定する。
【００５５】
収納検出部７３は、重量測定決定部７５から収納判定の指令を入力した際に、横オーガ４１が収納位置にある場合は、収納適正であると判定し、重量測定決定部７５に、『収納適正信号』を出力する。一方、収納検出部７３は、重量測定決定部７５から収納判定の指令を入力した際に、横オーガ４１が収納位置にない場合は、重量測定決定部７５に、モータ４６および揺動シリンダ４７を駆動して、横オーガ４１がオーガ受け４２に適正に収納されるように制御を行うように指令する『収納調整信号』を出力する。
【００５６】
刈取高さ検出部７４は、刈取高さセンサ３６と、重量測定決定部７５とに接続されている。刈取高さ検出部７４は、重量測定決定部７５から刈取高さ判定の指令を入力すると、刈取部１３の上下位置が所定の高さよりも低くないか否かを判定する。
【００５７】
刈取高さ検出部７４は、重量測定決定部７５から刈取高さ判定の指令を入力した際に、刈取高さセンサ３６から入力される刈取高さが所定の高さよりも低くない場合は、刈取高さが適正であると判定し、重量測定決定部７５に『刈取高さ適正信号』を出力する。一方、刈取高さ検出部７４は、重量測定決定部７５から刈取高さ判定の指令を入力した際に、刈取高さセンサ３６から入力される刈取高さが所定の高さよりも低い場合は、刈取高さが不適であると判定し、重量測定決定部７５に『刈取高さ適正信号』を出力しない。
【００５８】
重量測定決定部７５は、測定スイッチ６６、作業状態判定部７１、姿勢判定部７２、収納検出部７３、刈取高さ検出部７４、ロードセル３９、演算記憶部７７、報知指令部７８、第１油圧シリンダ２３、第２油圧シリンダ２７、第３油圧シリンダ２９、第４油圧シリンダ３１、モータ４６、揺動シリンダ４７、に接続されている。重量測定決定部７５は、ロードセル３９による重量測定の許否決定、走行機体１１の姿勢調整、アンローダ１６の位置調整、報知の指令を行う。
【００５９】
重量測定決定部７５は、測定スイッチ６６から『重量測定信号』が入力されると、作業状態判定部７１に作業状態の判定を要求する指令を出力し、『非作業信号』が応答されるか否かを確認する。重量測定決定部７５は、『非作業信号』が応答されないと、報知指令部７８に『作業中信号』を出力する。重量測定決定部７５は、『非作業信号』が応答されたことを確認すると、次に、刈取高さ検出部７４に刈取高さ判定を要求する指令を出力し、『刈取高さ信号』が応答されるか否かを確認する。
【００６０】
重量測定決定部７５は、『刈取高さ信号』が応答されないと、報知指令部７８に『刈取高さ不正信号』を出力する。一方、重量測定決定部７５は、『刈取高さ信号』が応答されたことを確認すると、次に、姿勢判定部７２に姿勢の判定を要求する指令を出力し、応答を確認する。重量測定決定部７５は、姿勢判定部７２から『姿勢適正信号』と、左右傾斜角度及び前後傾斜角度が応答されたことを確認すると、演算記憶部７７に左右傾斜角度及び前後傾斜角度を出力し、次に、収納検出部７３に、収納判定の指令を入力し、応答を確認する。
【００６１】
一方、重量測定決定部７５は、姿勢判定部７２から『調整不可信号』が応答されたことを確認すると、『非水平信号』を報知指令部７８に出力する。
【００６２】
また、重量測定決定部７５は、姿勢判定部７２から『左右傾斜調整信号』あるいは『前後傾斜調整信号』が応答されたことを確認すると、第１油圧シリンダ２３、第２油圧シリンダ２７、第３油圧シリンダ２９、第４油圧シリンダ３１を駆動して、走行機体１１の左右傾斜角度あるいは前後傾斜角度が水平に近づくように制御する。
【００６３】
重量測定決定部７５は、収納検出部７３から『収納適正信号』が応答されたことを確認すると、ロードセル３９に重量を測定して所定時間の間、重量取得部７６へ出力するよう指令するとともに、報知指令部７８に『正常測定信号』を出力する。一方、重量測定決定部７５は、収納検出部７３から『収納調整信号』が応答されたことを確認すると、ロードセル３９による重量測定を指令しないと共に、モータ４６および揺動シリンダ４７を駆動して、横オーガ４１が収納位置に正しく姿勢変更されるように制御を行い、横オーガ４１を収納位置に位置調整する。
【００６４】
重量取得部７６は、ロードセル３９、演算記憶部７７、に接続されている。重量取得部７６は、ロードセル３９から穀粒タンク１５の重量を取得すると、所定時間の間、その穀粒タンク１５の重量を取得して平均処理された測定データを演算し、その測定データを演算記憶部７７に出力する。
【００６５】
演算記憶部７７は、重量測定決定部７５、重量取得部７６、報知指令部７８、に接続されている。演算記憶部７７は、重量取得部７６から入力された測定データから穀粒タンク１５の風袋重量を減算して、穀粒タンク１５内の穀粒の概算重量値を取得する。そして、演算記憶部７７は、さらに、概算重量値を、重量測定決定部７５から入力された走行機体１１の左右傾斜角度及び前後傾斜角度に基づいて、補正して補正重量値を演算し、その補正重量値を記憶する。
【００６６】
報知指令部７８は、重量測定決定部７５、演算記憶部７７、ディスプレイ５０、スピーカ５１に接続されている。報知指令部７８は、重量測定決定部７５から『作業中信号』を入力すると、例えば、ディスプレイ５０やスピーカ５１等に、「作業中のため重量を測定できません。」等の表示や音声の出力をさせて、運転者への報知を行う。また、報知指令部７８は、重量測定決定部７５から『刈取高さ不正信号』を入力すると、ディスプレイ５０やスピーカ５１等に、「刈取高さが低すぎるため重量を測定できません。」等の表示や音声の出力をさせて、運転者への報知を行う。また、報知指令部７８は、重量測定決定部７５から『調整不可信号』を入力すると、ディスプレイ５０やスピーカ５１等に、「水平な場所で重量を測定して下さい。」等の表示や音声の出力をさせて、運転者への報知を行う。
【００６７】
また、報知指令部７８は、重量測定を行う時間の経過後、演算記憶部７７に記憶された補正重量値を読み出して、ディスプレイ５０やスピーカ５１等に、「補正重量値」、すなわち、「穀粒タンク１５内の穀粒の重量」を表示や音声の出力を行わせて、運転者への報知を行う。
【００６８】
［フローチャート］
上記のようなＥＣＵ１８によって実現される、穀粒タンク１５内の穀粒の重量測定の手順を、図４のフローチャートを用いて説明する。
まず、測定スイッチ６６が操作入力されたか否かが確認される（ステップ♯１）。ステップ♯１において、測定スイッチ６６が操作入力されていないと（♯１：Ｎｏ）、ステップ♯１へ戻る。ステップ♯１において、測定スイッチ６６が操作入力されたことが確認されると（♯１：Ｙｅｓ）、次に、走行機体１１の走行速度がゼロか否かが判定される（ステップ♯２）。ステップ♯２において、走行機体１１の走行速度がゼロでないと判定されると（♯２：Ｎｏ）、測定不可の報知がなされ（ステップ♯３）、終了となる。一方、ステップ♯２において、走行機体１１の走行速度がゼロであると判定されると（ステップ♯２：Ｙｅｓ）、次に、脱穀クラッチ３７が切り状態か否かが判定される（ステップ♯４）。ステップ♯４において、脱穀クラッチ３７が切り状態でないと判定されると（♯４：Ｎｏ）、ステップ♯３へ移行する。一方、ステップ♯４において、脱穀クラッチ３７が切り状態である判定されると（♯４：Ｙｅｓ）、次に、株元センサ３５が非検出状態である否かが判定される（ステップ♯５）。ステップ♯５において、株元センサ３５が非検出状態でないと判定されると（♯５：Ｎｏ）、ステップ♯３へ移行する。一方、ステップ♯５において、株元センサ３５が非検出状態であると判定されると（♯５：Ｙｅｓ）、次に、刈取部１３が所定の高さより低くないか否かが判定される（ステップ♯６）。
【００６９】
ステップ♯６において、刈取部１３が所定の高さより高くないと判定されると（♯６：Ｎｏ）、ステップ♯３へ移行する。一方、ステップ♯６において、刈取部１３が所定の高さより高いと判定されると（♯６：Ｙｅｓ）、次に、走行機体１１の左右傾斜角度が左右傾斜許容範囲内であるか否かが判定される（ステップ♯７）。
【００７０】
ステップ♯７において、走行機体１１の左右傾斜角度が左右傾斜許容範囲内でないと判定されると（♯７：Ｎｏ）、次に、走行機体１１の左右傾斜角度を調整可能か否かが判定される（ステップ♯８）。ステップ♯８において、走行機体１１の左右傾斜角度が調整不可と判定されると（♯８：Ｎｏ）、調整不可の報知がなされる（ステップ♯９）。ステップ♯９では、例えば、図６に示すように、ディスプレイ５０に「水平な場所で測定して下さい」等のメッセージを表示したり、スピーカ５１により音声を出力する等して、運転手に対応を促す報知がなされる。ステップ♯８において、走行機体１１の左右傾斜角度が調整可能と判定されると（♯８：Ｙｅｓ）、走行機体１１の左右傾斜角度が調整され（ステップ♯１０）、ステップ♯７へ戻る。
【００７１】
ステップ♯７において、走行機体１１の左右傾斜角度が左右傾斜許容範囲内であると判定されると（♯７：Ｙｅｓ）、次に、走行機体１１の前後傾斜角度が前後傾斜許容範囲内であるか否かが判定される（ステップ♯１１）。ステップ♯１１において、走行機体１１の前後傾斜角度が前後傾斜許容範囲内でないと判定されると（♯１１：Ｎｏ）、次に、走行機体１１の前後傾斜角度を調整可能か否かが判定される（ステップ♯１２）。ステップ♯１２において、走行機体１１の前後傾斜角度が調整不可と判定されると（♯１２：Ｎｏ）、ステップ♯９へ移行する。ステップ♯１２において、走行機体１１の前後傾斜角度が調整可能と判定されると（♯１２：Ｙｅｓ）、走行機体１１の前後傾斜角度が調整され（ステップ♯１３）、ステップ♯１１へ戻る。
【００７２】
ステップ♯１１において、走行機体１１の前後傾斜角度が前後傾斜許容範囲内であると判定されると（♯１１：Ｙｅｓ）、次に、横オーガ４１が適正な収納位置にあるか否かが判定される（ステップ♯１４）。
【００７３】
ステップ♯１４において、横オーガ４１が適正な収納位置にないと判定されると（♯１４：Ｎｏ）、横オーガ４１を適正な収納位置へ移動させる制御が行われ（ステップ♯１５）、ステップ♯１４へ移行する。ステップ♯１４において、横オーガ４１が適正な収納位置にあると判定されると（♯１４：Ｙｅｓ）、次に、ロードセル３９による重量測定が実行される（ステップ♯１６）。ステップ♯１６の次に、測定された重量が補正された補正値を演算する重量補正が実行される（ステップ♯１７）。ステップ♯１７の次に、ディスプレイ等による報知がなされ（ステップ♯１８）、終了となる。
【００７４】
［別の実施形態］
（１）上記実施形態では、車速センサ３３により検出された走行速度がゼロ、脱穀クラッチ３７が切り状態、株元センサ３５が非検出状態、の全ての条件を満たすときに、非作業状態であるとの判定を行うものを一例に示したが、これに限られない。例えば、車速センサ３３から入力される走行速度がゼロ、脱穀クラッチ３７が切り状態、株元センサ３５が非検出状態、のうち少なくとも何れか１つ又は２つの条件を満たすときに、非作業状態との判定を行うものであってもよい。
【００７５】
（２）上記実施形態では、刈取高さが所定の高さよりも低くないか否かの判定を行うものを一例に示したが、これに限られず、刈取高さについての判定を行われなくてもよい。
【００７６】
（３）上記実施形態では、前後傾斜角度が前後傾斜許容範囲内であるか否かの判定を行うものを一例に挙げたが、これに限られず、前後傾斜角度が前後傾斜許容範囲内であるか否かの判定を行われなくてもよい。
【００７７】
（４）上記実施形態では、左右傾斜角度が左右傾斜許容範囲内であるか否かの判定を行うものを一例に挙げたが、これに限られず、左右傾斜角度が左右傾斜範囲内であるか否かの判定を行われなくてもよい。
【００７８】
（５）上記実施形態では、横オーガ４１が収納位置にないと判定されたとき、横オーガ４１を収納位置へ移動させる制御をするようにしている例を示したが、これに限られない。例えば、横オーガ４１の旋回位置が自動的に正しい位置へ制御されるような構成であるときは、横オーガ４１の上下方向の位置のみが正しくない位置となる。つまり、重量測定決定部７５は、作業状態判定部７１によって非作業状態であることが判定されると、モータ４６を制御して横オーガ４１を所定時間下降させた後に、ロードセル３９に重量測定を指令する。図７に示すように、フローチャートにおいては、図４におけるステップ♯１４、ステップ♯１５に代えて、横オーガ４１を所定時間下降させるようにする（ステップ♯♯１５）。また上記実施形態では、横オーガ４１が適正に収納されているか否かの判定を行うものを一例に挙げたが、これに限られず、横オーガ４１が適正に収納されているか否かの判定を行われなくてもよい。
【００７９】
（６）上記実施形態では、ロードセル３９による重量測定を行わない場合は、運転者に、測定に関する情報を報知するものを一例に示したが、これに限られず、ロードセル３９による重量測定を行わない場合であっても、運転者に、測定に関する情報の報知が行われないものでもよい。
【産業上の利用可能性】
【００８０】
本発明は、クローラ走行式の自脱型コンバインの他、ホイール走行式の自脱型コンバインや、全稈投入型コンバイン等にも利用できる。
【符号の説明】
【００８１】
１０      ：コンバイン
１１      ：走行機体
１２      ：クローラ走行装置
１３      ：刈取部
１４      ：脱穀装置
１５      ：穀粒タンク
１６      ：アンローダ
１９      ：左右傾斜センサ（左右傾斜角度検出部）
２０      ：前後傾斜センサ（前後傾斜角度検出部）
２３      ：第１油圧シリンダ（左右姿勢変更部、前後姿勢変更部）
２７      ：第２油圧シリンダ（左右姿勢変更部、前後姿勢変更部）
２９      ：第３油圧シリンダ（左右姿勢変更部、前後姿勢変更部）
３１      ：第４油圧シリンダ（左右姿勢変更部、前後姿勢変更部）
３３      ：車速センサ
３５      ：株元センサ（穀稈センサ）
３６      ：刈取高さセンサ
３７      ：脱穀クラッチ
３８      ：排出オーガ
３９      ：ロードセル（重量測定部）
４０      ：縦オーガ
４１      ：横オーガ
４２      ：オーガ受け
４６      ：モータ（旋回駆動部）
４７      ：揺動シリンダ（上下揺動駆動部）
６６      ：測定スイッチ（測定指示部）
７１      ：作業状態判定部
７２      ：姿勢判定部
７３      ：収納検出部
７５      ：重量測定決定部（制御部）
【図１】
2014187945.tif 000003
【図２】
2014187945.tif 000004
【図３】
2014187945.tif 000005
【図４】
2014187945.tif 000006
【図５】
2014187945.tif 000007
【図６】
2014187945.tif 000008
【図７】
2014187945.tif 000009